(57)【要約】【課題】耐久型水筒ほどではないがある程度の耐久性を有し、繰り返して使用することのできる水筒代用品としてのコンパクトボトル型水筒を提供する。【解決手段】  本体２と、栓３と、キャップ４からなるコンパクトボトルである。前記本体２は、内部壁にネジを備えた開口基部２１を有する。前記栓３は、上栓部３１、鍔部３３、下栓部３４と、これらすべてを貫通する液体流路３５を有し、前記上栓部３１及び前記下栓部３４の内部壁はそれぞれネジ３６，３７を有する。前記キャップ４は内部壁にネジを備えている。前記上栓部３１の前記ネジ３６は前記キャップの前記ネジと係合し、前記下栓部の前記ネジ３７は前記本体の前記ネジ２３と係合する。【選択図】図２
2014234221.tif 000002
【特許請求の範囲】
【請求項１】
本体（２，２Ａ）と、栓（３，３Ａ）と、キャップ（４，４Ａ）からなるコンパクトボトルであって、
前記本体（２，２Ａ）は、ネジを備えた開口基部（２１，２１Ａ）を有し、
前記栓（３，３Ａ）は、上栓部（３１，３１Ａ）、下栓部（３４，３４Ａ）と、これらを貫通する液体流路（３５，３５Ａ）を有し、前記上栓部（３１，３１Ａ）及び前記下栓部（３４，３４Ａ）はそれぞれネジ（３６，３７；３６Ａ，３７Ａ）を有し、
前記キャップ（４，４Ａ）は内部壁にネジを備えており、
前記上栓部（３１，３１Ａ）の前記ネジ（３６，３６Ａ）は前記キャップの前記ネジと係合し、前記下栓部の前記ネジ（３７，３７Ａ）は前記本体の前記ネジ（２３，２３Ａ）と係合する
ことを特徴とするコンパクトボトル。
【請求項２】
前記回転操作部（３２）の上又は下に回転操作部（３２）を設けた請求項１記載のコンパクトボトル。
【請求項３】
前記回転操作部（３２）が操作者が指をかけて回転力を与えるための窪み（３８）を有する請求項２記載のコンパクトボトル。
【請求項４】
前記栓にさらに鍔部（３３）を設けた請求項１〜３のいずれかに記載のコンパクトボトル。
【発明の詳細な説明】
【技術分野】
【０００１】
本発明は、コンパクトボトルに関する。
【背景技術】
【０００２】
通常、「コンパクトボトル」と呼ばれる容器は、横断面が扁平型のプラスチック製の袋であって、使用後に本体部分を巻き上げて容積を小さくできるという利点を有する。「輸液用バッグ」や「パウチ容器」などでは使い捨て容器として使用されることが多い。そのような従来例を示す特許公報は多数あるが、例えば前者の一例として特開平７−１４８２２４、後者の一例として特開平１１−１７０４０５がある。
【０００３】
使用後に容積を小さくすることのできるコンパクトボトルは、行楽に適している。本発明者はこの容器を携帯用水筒の代用品として繰り返して使用することを考えた。
【先行技術文献】
【特許文献】
【０００４】
【特許文献１】特開平７−１４８２２４
【特許文献２】特開平１１−１７０４０５
【発明の概要】
【発明が解決しようとする課題】
【０００５】
その際、問題となるのは衛生面である。使い終わった後、内部残液を完全排出して、少なくとも水洗いができなければならない。しかし、現状のコンパクトボトルは開口部が小さく、使い終わった後、内部残液を完全に排出したり、水洗いしたりすることが容易ではない。
【０００６】
本発明は、耐久型水筒ほどではないがある程度の耐久性を有し、繰り返して使用することのできる水筒代用品としてのコンパクトボトル型水筒を提供することを目的とする。
【課題を解決するための手段】
【０００７】
本発明は、本体と、栓と、キャップからなるコンパクトボトルであって、  前記本体は、ネジを備えた開口基部を有し、前記栓は、上栓部、下栓部と、これらを貫通する液体流路を有し、前記上栓部及び前記下栓部はそれぞれネジを有し、前記キャップは内部壁にネジを備えており、前記上栓部の前記ネジは前記キャップの前記ネジと係合し、前記下栓部の前記ネジは前記本体の前記ネジと係合することを特徴とする（請求項１）。
【０００８】
好ましくは、前記回転操作部の上又は下に回転操作部を設ける（請求項２）。また、その回転操作部に操作者が指をかけて回転力を与えるための窪みを設ける（請求項３）。さらに前記栓に鍔部を設けることもできる（請求項４）。
【発明の効果】
【０００９】
請求項１の発明によれば、上栓部とキャップの間、及び、下栓部と本体開口基部の間でネジの係合を解除することにより、分離が可能である（図２、図８参照）。このように分離した状態であれば、開口部が広がり、本体から内部残液を排出するのが容易であると共に、それぞれの部品の水洗いも容易である。
【００１０】
請求項２及び３の発明によれば、指で栓３を回転させやすくなる。
【図面の簡単な説明】
【００１１】
【図１】本発明の第１実施例に係るコンパクトボトル型水筒の斜視図である。
【図２】図１の分解斜視図である。
【図３】図２の栓部分の（ａ）平面図、（ｂ）底面図、（ｃ）正面図、（ｄ）側面図である。
【図４】図３（ａ）のＡ−Ａ断面図である。
【図５】図３（ａ）のＢ−Ｂ断面図である。
【図６】図３（ｃ）のＣ−Ｃ断面図である。
【図７】本発明の第２実施例に係るコンパクトボトル型水筒の斜視図である。
【図８】図７の分解斜視図である。
【図９】図７の栓部分の（ａ）平面図、（ｂ）底面図、（ｃ）正面図、（ｄ）図９（ａ）のＡ−Ａ断面図である。
【図１０】図７の開口基部部分の（ａ）平面図、（ｂ）底面図、（ｃ）正面図、（ｄ）図１０（ａ）のＡ−Ａ断面図である。
【発明を実施するための形態】
【００１２】
以下、添付の図面に基づき、本発明の実施例を説明する。
【実施例１】
【００１３】
図１に示す第１実施例のコンパクトボトル１は、本発明の特徴である栓部分を除けば、周知形状である。図２に示すように、このコンパクトボトル１は、本体２と、栓３と、キャップ４に分離可能である。
【００１４】
本体２は、スタンディングパウチとも呼ばれるもので、袋の底が立体的に確保されており、自立可能な袋である。本体上部に中洲状の基部２１が形成されており、その中央に開口２２が設けられている。この開口側面には雌ネジ２３が形成されている。
【００１５】
栓３は、図２〜図４に示すように、上から下に向かって上栓部３１、回転操作部３２、鍔部３３、下栓部３４を有し、合成樹脂で一体成形されている。これらすべてを貫通する液体流路３５が形成されている。
【００１６】
上栓部３１及び下栓部３４の内部壁はそれぞれ雄ネジ３６，３７を有する。下栓部の雄ネジ３７は本体開口の雌ネジ２３と係合する。
【００１７】
回転操作部３２は、図３（ａ）にもっとも明瞭に示されるように、対向する２カ所に窪み３８を有する円板状である。この窪み３８は指をかけて回転力を与えるためのものである。
【００１８】
鍔部３３は円板状であり、図１の使用状態では、下栓部３４と密着して液漏れを防いでいる。
【００１９】
キャップ４は、飲用時に取り外し可能なように内側に雌ネジ（図示せず）を有する。上栓部３１の雄ネジ３６はキャップの雌ネジと係合する。
【００２０】
以上の説明からわかるように、本実施例のコンパクトボトル１は、上栓部３１とキャップ４の間、及び、下栓部３４と本体基部２１の間でネジの係合を解除することにより、分離が可能である（図２参照）。このように分離した状態であれば、開口部が広がり、本体から内部残液を排出するのが容易であると共に、それぞれの部品の水洗いも容易である。
【実施例２】
【００２１】
図７に示す第２実施例のコンパクトボトル１Ａは、本発明の特徴である栓部分を除けば、周知形状である。図８に示すように、このコンパクトボトル１Ａは、本体２Ａと、栓３Ａと、キャップ４Ａに分離可能である。
【００２２】
本体２Ａは、スタンディングパウチとも呼ばれるもので、袋の底が立体的に確保されており、自立可能な袋である。図８及び図１０に示すように、本体上部に中洲状の基部２１Ａが形成されており、その中央に上方へ突出する突起２４Ａにより形成された開口２２Ａが設けられている。この開口側面には雄ネジ２３Ａが形成されている。
【００２３】
栓３Ａは、図８、図９に示すように、上栓部３１Ａと下栓部３４Ａを有し、合成樹脂で一体成形されている。これらを貫通する液体流路３５Ａが形成されている。
【００２４】
上栓部３１の外壁は雄ネジ３６Ａを有し、下栓部３４Ａの内部壁は雌ネジ３７Ａを有する。下栓部の雌ネジ３７Ａは本体開口２２Ａの雄ネジ２３Ａと係合する。
【００２５】
キャップ４Ａは、飲用時に取り外し可能なように内側に雌ネジ（図示せず）を有する。上栓部３１Ａの雄ネジ３６はキャップの雌ネジと係合する。
【００２６】
以上の説明からわかるように、本実施例のコンパクトボトル１Ａは、上栓部３１Ａとキャップ４Ａの間、及び、下栓部３４Ａと本体基部２１Ａの間でネジの係合を解除することにより、分離が可能である（図８参照）。このように分離した状態であれば、開口部が広がり、本体から内部残液を排出するのが容易であると共に、それぞれの部品の水洗いも容易である。
【符号の説明】
【００２７】
１，１Ａ      コンパクトボトル
２，２Ａ      本体
２１，２１Ａ  開口基部
２２，２２Ａ  開口
２３，２３Ａ  ネジ
２４Ａ  突起
３，３Ａ      栓
３１，３１Ａ  上栓部
３２   回転操作部
３３   鍔部
３４，３４Ａ  下栓部
３５，３５Ａ  液体流路
３６，３６Ａ  ネジ
４，４Ａ      キャップ
３７，３７Ａ  ネジ
【図１】
2014234221.tif 000003
【図２】
2014234221.tif 000004
【図３】
2014234221.tif 000005
【図４】
2014234221.tif 000006
【図５】
2014234221.tif 000007
【図６】
2014234221.tif 000008
【図７】
2014234221.tif 000009
【図８】
2014234221.tif 000010
【図９】
2014234221.tif 000011
【図１０】
2014234221.tif 000012
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
本体（２，２Ａ）と、栓（３，３Ａ）と、キャップ（４，４Ａ）からなるコンパクトボトルであって、
前記本体（２，２Ａ）は、ネジを備えた開口基部（２１，２１Ａ）を有し、
前記栓（３，３Ａ）は、上栓部（３１，３１Ａ）、下栓部（３４，３４Ａ）と、これらを貫通する液体流路（３５，３５Ａ）を有し、前記上栓部（３１，３１Ａ）及び前記下栓部（３４，３４Ａ）はそれぞれネジ（３６，３７；３６Ａ，３７Ａ）を有し、
前記キャップ（４，４Ａ）は内部壁にネジを備えており、
前記上栓部（３１，３１Ａ）の前記ネジ（３６，３６Ａ）は前記キャップの前記ネジと係合し、前記下栓部の前記ネジ（３７，３７Ａ）は前記本体の前記ネジ（２３，２３Ａ）と係合する
ことを特徴とするコンパクトボトル。
【請求項２】
前記栓（３）に回転操作部（３２）を設けた請求項１記載のコンパクトボトル。
【請求項３】
前記回転操作部（３２）が操作者が指をかけて回転力を与えるための窪み（３８）を有する請求項２記載のコンパクトボトル。
【請求項４】
前記栓（３）にさらに鍔部（３３）を設けた請求項１〜３のいずれかに記載のコンパクトボトル。
【手続補正２】
【補正対象書類名】明細書
【補正対象項目名】０００８
【補正方法】変更
【補正の内容】
【０００８】
好ましくは、前記栓に回転操作部を設ける（請求項２）。また、その回転操作部に操作者が指をかけて回転力を与えるための窪みを設ける（請求項３）。さらに前記栓に鍔部を設けることもできる（請求項４）。